(57)【要約】【課題】正イオンおよび負イオンの一方のみを選択的に生じさせることができるイオン発生素子、イオン発生装置および電気機器を提供する。【解決手段】放電電極２は、誘導電極１との間でコロナ放電を生じさせることで正イオンを発生させる針状電極２と、誘導電極１との間でコロナ放電を生じさせることで負イオンを発生させる針状電極２とを有している。正イオンを発生させる針状電極２と負イオンを発生させる針状電極２との間に、絶縁性の壁部材（円筒部材）１１が配置されている。【選択図】図１
2009026492.tif 000002
【特許請求の範囲】
【請求項１】
コロナ放電により正イオンおよび負イオンを生じさせるためのイオン発生素子であって、
誘導電極と、
前記誘導電極との間でコロナ放電を生じさせるための放電電極とを備え、
前記放電電極は、前記誘導電極との間でコロナ放電を生じさせることで正イオンを発生させる第１の針状電極と、前記誘導電極との間でコロナ放電を生じさせることで負イオンを発生させる第２の針状電極とを有し、さらに
前記第１の針状電極と第２の針状電極との間に配置された絶縁物よりなる壁を備えた、イオン発生素子。
【請求項２】
前記壁は、前記誘導電極と前記第１の針状電極との間に配置された絶縁物よりなる第１の壁部を有する、請求項１に記載のイオン発生素子。
【請求項３】
前記壁は、前記誘導電極と前記第２の針状電極との間に配置された絶縁物よりなる第２の壁部を有する、請求項１または２に記載のイオン発生素子。
【請求項４】
コロナ放電により正イオンおよび負イオンの少なくともいずれかを生じさせるためのイオン発生素子であって、
誘導電極と、
前記誘導電極との間でコロナ放電を生じさせるための放電電極と、
前記誘導電極と前記放電電極との間に配置された絶縁物よりなる壁とを備えた、イオン発生素子。
【請求項５】
請求項１〜４のいずれかに記載の前記イオン発生素子と、
入力電圧を昇圧して前記誘導電極および前記放電電極に高電圧を印加するための高電圧発生回路部と、
前記入力電圧を受けて前記高電圧発生回路部を駆動させるための駆動回路部とを備えた、イオン発生装置。
【請求項６】
請求項５に記載の前記イオン発生装置と、
前記イオン発生装置で生じた正イオンおよび負イオンの少なくともいずれかを送風気流に乗せて送るための送風部とを備えた、電気機器。
【発明の詳細な説明】
【技術分野】
【０００１】
本発明は、イオン発生素子、イオン発生装置および電気機器に関し、特に、コロナ放電により正イオンおよび負イオンの少なくともいずれかを生じさせるためのイオン発生素子、それを用いたイオン発生装置および電気機器に関するものである。
【背景技術】
【０００２】
放電電極としての針状電極と誘導電極としての板電極とを組合せ、その放電電極と誘導電極との間に高電圧を印加すると、針状電極の先鋭部近傍の空気が絶縁破壊を起こし、部分的な放電が生じることは一般に知られており、この現象はコロナ放電と呼ばれている。
【０００３】
このコロナ放電現象を利用したイオン発生素子が実現されている。イオン発生素子の電極構成の一例として、たとえば特開平９−２６２４９８号公報には、短冊状の板状電極として形成された対向極と、その対向極と所定の間隔をあけて平行に配置された支持基板部材に取り付けられた多数の針電極部材とを有する構造が開示されている。
【特許文献１】特開平９−２６２４９８号公報
【発明の開示】
【発明が解決しようとする課題】
【０００４】
イオン発生素子において正イオンと負イオンとの双方を生じさせる場合、正イオンを生じさせるための針電極部材に正高電圧を印加し、負イオンを生じさせるための針電極部材に負高電圧を印加する必要がある。また、正イオンを生じさせるための針電極部材と負イオンを生じさせるための針電極部材とに互いに異なる電位を印加する必要から、双方の針電極部材を互いに絶縁する必要がある。
【０００５】
しかし、上記のイオン発生素子を空気調和機（エアコンディショナー）に用いた場合、その空気調和機の冷暖房の動作時に結露が生じ、その結露による水分の存在によって、正イオンを生じさせるための針電極部材と負イオンを生じさせるための針電極部材とがあたかも電気的に導通したような状態になる。
【０００６】
この場合、正イオンを生じさせるための針電極部材に、負イオンを生じさせるための針電極部材から負高電圧が印加される。この結果、正イオンを生じさせるための針電極部材には正高電圧だけでなく負高電圧も印加されることになり、この針電極部材で正イオンのみを選択的に生じさせることができなくなるという問題がある。
【０００７】
また負イオンを生じさせるための針電極部材についても、上記と同様、正イオンを生じさせるための針電極部材から正高電圧が印加され、この針電極部材で負イオンのみを選択的に生じさせることができなくなるという問題がある。
【０００８】
また上記の結露による水分の存在によって、針電極部材と対向極との間もあたかも導通したような状態となる。これにより、針電極部材と対向極との間の電位差が低下し、イオンが発生し難くなってイオン発生能力が低下するという問題がある。
【０００９】
上記より、本発明の一の目的は、正イオンおよび負イオンの一方のみを選択的に生じさせることができるイオン発生素子、イオン発生装置および電気機器を提供することである。
【００１０】
また、本発明の他の目的は、誘導電極と放電電極との間で大きな電位差を確保してイオン発生能力を高く維持できるイオン発生素子、イオン発生装置および電気機器を提供することである。
【課題を解決するための手段】
【００１１】
本発明の一のイオン発生素子は、コロナ放電により正イオンおよび負イオンを生じさせるためのイオン発生素子であって、誘導電極と、放電電極と、壁とを備えている。放電電極は、誘導電極との間でコロナ放電を生じさせるためのものである。放電電極は、誘導電極との間でコロナ放電を生じさせることで正イオンを発生させる第１の針状電極と、誘導電極との間でコロナ放電を生じさせることで負イオンを発生させる第２の針状電極とを有している。壁は、第１の針状電極と第２の針状電極との間に配置された絶縁物よりなっている。
【００１２】
本発明の一のイオン発生素子によれば、第１の針状電極と第２の針状電極との間に絶縁物よりなる壁が配置されているため、結露による水分が存在する場合でも、第１および第２の針状電極の一方から他方へ反対極性の高電圧が印加されることを防止できる。これにより、針状電極に正高電圧および負高電圧のいずれかを選択的に印加することができ、正イオンおよび負イオンの一方のみを選択的に生じさせることができる。
【００１３】
上記のイオン発生素子において好ましくは、上記壁は、誘導電極と第１の針状電極との間に配置された絶縁物よりなる第１の壁部を有している。
【００１４】
これにより、誘導電極と第１の針状電極との間の導通を遮断することができる。
上記のイオン発生素子において好ましくは、上記壁は、誘導電極と第２の針状電極との間に配置された絶縁物よりなる第２の壁部を有している。
【００１５】
これにより、誘導電極と第２の針状電極との間の導通を遮断することができる。
本発明の他のイオン発生素子は、コロナ放電により正イオンおよび負イオンの少なくともいずれかを生じさせるためのイオン発生素子であって、誘導電極と、放電電極と、壁とを備えている。放電電極は、誘導電極との間でコロナ放電を生じさせるためのものである。壁は、誘導電極と放電電極との間に配置された絶縁物よりなっている。
【００１６】
本発明の他のイオン発生素子によれば、誘導電極と放電電極との間に絶縁物よりなる壁が配置されているため、結露による水分が存在する場合でも、誘導電極と放電電極との間の導通を絶縁物により確実に遮断することができる。よって、誘導電極と放電電極との間で大きな電位差を確保することができ、イオン発生能力を高く維持することが可能となる。
【００１７】
本発明のイオン発生装置は、上記のイオン発生素子と、入力電圧を昇圧して誘導電極および放電電極に高電圧を印加するための高電圧発生回路部と、入力電圧を受けて高電圧発生回路部を駆動させるための駆動回路部とを備えている。
【００１８】
本発明のイオン発生装置によれば、高電圧発生回路部が駆動回路部により駆動制御されることで誘導電極および放電電極に高電圧を印加するため、上記のイオン発生素子においてコロナ放電を生じさせてイオンを発生させることができる。
【００１９】
本発明の電気機器は、上記のイオン発生装置と、イオン発生装置で生じた正イオンおよび負イオンの少なくともいずれかを送風気流に乗せて送るための送風部とを備えている。
【００２０】
本発明の電気機器によれば、イオン発生装置で生じたイオンを送風部により気流に乗せて送ることができるため、たとえば空調機器において機外にイオンを放出することができ、また冷蔵機器において庫内または庫外にイオンを放出することができる。
【発明の効果】
【００２１】
以上説明したように本発明の一のイオン発生素子によれば、第１の針状電極と第２の針状電極との間に絶縁物よりなる壁が配置されているため、正イオンおよび負イオンの一方のみを選択的に生じさせることができる。
【００２２】
また本発明の他のイオン発生素子によれば、誘導電極と放電電極との間に絶縁物よりなる壁が配置されているため、イオン発生能力を高く維持することが可能となる。
【発明を実施するための最良の形態】
【００２３】
以下、本発明の実施の形態について図に基づいて説明する。
図１および図２は、本発明の一実施の形態におけるイオン発生素子の構成を概略的に示す分解斜視図および組立斜視図である。図３は図２のＩＩＩ−ＩＩＩ線に沿う概略断面図である。図４は図３のＰ部を拡大して示す拡大断面図である。
【００２４】
図１を参照して、イオン発生素子１０は、誘導電極１と、放電電極２と、支持基板３と、絶縁性の壁部材１１とを主に有している。
【００２５】
放電電極２はコロナ放電により正イオンおよび負イオンの少なくともいずれかを生じさせるためのものである。放電電極２は、たとえば２本の針状電極２、２を有し、この針状電極２、２の各々は、ニッケル（Ｎｉ）およびクロム（Ｃｒ）を少なくとも含む合金よりなる基材と、その基材の表面を覆い、かつスズ（Ｓｎ）およびニッケルの少なくともいずれかを含む材質よりなる被覆材とを有している。
【００２６】
針状電極２、２の各々は針状の先端部を有し、その先端部において基材が被覆材から露出している。２本の針状電極２、２の一方は正イオンを、他方は負イオンを発生させるものであってもよく、また２本の針状電極２、２の双方が正イオンを発生させるものであってもよく、また２本の針状電極２、２の双方が負イオンを発生させるものであってもよい。
【００２７】
誘導電極１は、たとえば耐食性に優れたＳＵＳ３０４などを材質とする一体の金属板からなっており、かつ放電電極２の個数に対応して天板部１ａに設けられた複数の貫通孔１ｂを有している。本実施の形態では貫通孔１ｂの個数はたとえば２個であり、貫通孔１ｂの平面形状はたとえば円形である。
【００２８】
貫通孔１ｂの周縁部分は、たとえば絞り加工などの工法により、金属板を天板部１ａに対して屈曲させた屈曲部１ｃとなっている。この屈曲部１ｃにより貫通孔１ｂの周縁の壁部の厚みＴ１が天板部１ａの板厚Ｔ２よりも厚くなっている。この貫通孔１ｂは、コロナ放電により発生するイオンをイオン発生素子の外部へ放出するための開口部である。
【００２９】
また誘導電極１は両端部に、金属板の一部を天板部１ａに対して屈曲させた基板挿入部１ｄを有している。この基板挿入部１ｄは、幅の広い支持部分１ｄ1と、幅の狭い挿入部分１ｄ2とを有している。また誘導電極１は、金属板の一部を天板部１ａに対して屈曲させた基板支持部１ｅを有している。基板支持部１ｅの折り曲げ方向の長さＬ２は、基板挿入部１ｄの支持部分１ｄ1の折り曲げ方向の長さＬ１と略同一である。
【００３０】
また、誘導電極１の表面には半田との接合性の良好な材質によってめっき層が形成されている。めっき層は、誘導電極１の表面全体に形成されてもよいが、少なくとも基板挿入部１ｄの幅の狭い挿入部分１ｄ2の表面に形成されていればよい。めっき層の厚さはたとえば２μｍ程度である。
【００３１】
なお屈曲部１ｃは基板挿入部１ｄおよび基板支持部１ｅと同じ方向（図１において下側）に折り曲げられていてもよく、また基板挿入部１ｄおよび基板支持部１ｅと逆の方向（図１において上側）に折り曲げられていてもよい。また屈曲部１ｃ、基板挿入部１ｄおよび基板支持部１ｅは、天板部１ａに対してたとえば略直角に屈曲している。
【００３２】
支持基板３は、放電電極２を挿通させるための貫通孔３ａと、誘導電極１の基板挿入部１ｄの挿入部分１ｄ2を挿通させるための貫通孔３ｂとを有している。
【００３３】
絶縁性の壁部材１１は、たとえば２つの絶縁性の円筒部材１１、１１を有している。これら２つの円筒部材１１、１１の各々は、たとえば針状電極２ごとに設けられている。
【００３４】
図２および図３を参照して、イオン発生素子１０の組立状態においては、針状電極２の各々は、支持基板３の貫通孔３ａに挿入されて支持基板３を貫通した状態となっている。針状電極２の針状の一方端は支持基板３の表面側に突き出しており、また支持基板３の裏面側に突き出した他方端は半田４により固定され、配線パターンやリード線に電気的に接続することが可能となる。
【００３５】
誘導電極１の挿入部分１ｄ2は支持基板３の貫通孔３ｂに挿入されて支持基板３を貫通した状態となっている。支持基板３の裏面側に突き出した挿入部分１ｄ2の先端は半田４により固定され、配線パターンやリード線に電気的に接続することが可能となる。
【００３６】
このとき、誘導電極１は、支持部分１ｄ1と挿入部分１ｄ2との境界にある段部が支持基板３の表面に当接し、かつ誘導電極１の基板支持部１ｅの先端が基板３の表面に当接している。これにより誘導電極１の天板部１ａは支持基板３に対して所定の距離を保って支持されている。つまり、基板挿入部１ｄと基板支持部１ｅとにより、誘導電極１は支持基板３に対してその厚み方向に位置決めされている。
【００３７】
また放電電極２は、その針状の先端が、平面視において円形の貫通孔１ｂの中心に位置するように、かつ図４に示すように貫通孔１ｂの周縁部の厚み（つまり屈曲部１ｃの屈曲長さ）Ｔ１の範囲内に位置するように配置されている。
【００３８】
２つの絶縁性の円筒部材１１、１１の各々は、支持基板３の表面側において支持基板３の表面に接するように配置されており、針状電極２の周囲を取り囲むように配置されている。これにより、２つの針状電極２、２の間には、２つの絶縁性の円筒部材１１、１１が位置することになる。また針状電極２と誘導電極１との間にも、絶縁性の円筒部材１１が位置することになる。仮に２つの針状電極２、２のうち一方が正イオンを、他方が負イオンを発生させるものである場合、正イオンを発生させる針状電極２と誘導電極１との間に絶縁性の円筒部材１１が位置し、かつ負イオンを発生させる針状電極２と誘導電極１との間にも絶縁性の円筒部材１１が位置することになる。
【００３９】
寸法上の一例として、板状の誘導電極１の板厚は０．５ｍｍ以上１ｍｍ以下程度である。また基板３上面から誘導電極１の表面までの厚みＴ３は２ｍｍ以上４ｍｍ以下程度である。これにより、このイオン発生素子１０を内部に収容したイオン発生装置２０の厚みＴ４を５ｍｍ以上８ｍｍ以下程度に薄型化することができる。
【００４０】
正イオンまたは負イオンのいずれか一方の極性のイオンを発生させる場合、放電電極２の針状の先端位置を誘導電極１の貫通孔１ｂの中心に合わせて配置することにより、誘導電極１と放電電極２の針状の先端とが空気空間を挟んで対向するようにする。
【００４１】
また正イオンと負イオンの両極性のイオンを放出させるためには、正イオンを発生させる放電電極２の針状の先端位置と負イオンを発生させる放電電極２の針状の先端位置との各々を、互いに所定の距離を確保して配置し、かつ誘導電極１の貫通孔１ｂの中心に合わせて配置することにより、誘導電極１と放電電極２の針状の先端とが空気空間を挟んで対向するようにする。
【００４２】
上記のイオン発生素子１０において、板状の誘導電極１と針状の放電電極２とを上記のように所定の距離を確保して配置し、誘導電極１と放電電極２との間に高電圧を印加すると、針状の放電電極２の先端でコロナ放電が生じる。このコロナ放電により正イオンおよび負イオンの少なくともいずれかのイオンが発生し、このイオンが誘導電極１に設けられた貫通孔１ｂからイオン発生素子１０の外部に放出される。さらに送風を加えることで、より効果的にイオンを放出することが可能となる。
【００４３】
ここで、正イオンは、水素イオン（Ｈ+）の周囲に複数の水分子が付随したクラスターイオンであり、Ｈ+（Ｈ2Ｏ）m（ｍは任意の自然数）として表わされる。また負イオンは、酸素イオン（Ｏ2-）の周囲に複数の水分子が付随したクラスターイオンであり、Ｏ2-（Ｈ2Ｏ）n（ｎは任意の自然数）として表わされる。
【００４４】
正イオンおよび負イオンの両極性のイオンを放出する場合には、空気中の正イオンであるＨ+（Ｈ2Ｏ）m（ｍは任意の自然数）と、負イオンであるＯ2-（Ｈ2Ｏ）n（ｎは任意の自然数）とを略同等量発生させることにより、両イオンが空気中の浮遊カビ菌やウィルスの周りを取り囲み、その際に生成される活性種の水酸化ラジカル（・ＯＨ）の作用により、浮遊カビ菌などを除去することが可能となる。
【００４５】
次に、上記のイオン発生素子を用いたイオン発生装置の構成について説明する。
図５は、図１〜図４に示すイオン発生素子を用いたイオン発生装置の機能ブロックを示す図である。また図６は、図５に示すイオン発生装置の構成を概略的に示す斜視図である。
【００４６】
図５および図６を参照して、イオン発生装置２０は、たとえば、図１〜図４に示すイオン発生素子１０と、ケース２１と、電源入力コネクタ２２と、駆動回路２３と、高電圧発生回路２４と、正高電圧生成回路としてのダイオード２５と、負高電圧生成回路としてのダイオード２６とを主に有している。電源入力コネクタ２２は、入力電源としての直流電源や商用交流電源の供給を受ける。この電源入力コネクタ２２を介して入力電圧を供給された駆動回路２３は、高電圧発生回路２４を駆動させることにより入力電圧を昇圧させて高電圧を発生させる。
【００４７】
高電圧発生回路２４の一端は誘導電極１に電気的に接続されている。また高電圧発生回路２４は、正高電圧生成回路としてのダイオード２５を通じて、正イオンを発生させる針状電極２に誘導電極１に対し正極性の高電圧を印加し、また負高電圧生成回路としてのダイオード２６を通じて、負イオンを発生させる針状電極２に誘導電極１に対し負極性の高電圧を印加する。
【００４８】
つまり、高電圧発生回路２４により発生されたたとえばパルス波形（または交流波形）の高電圧はダイオード２５、２６の各々で整流され、それにより、正イオンを発生させる針状電極２に正極性の高電圧が印加され、負イオンを発生させる針状電極２に負極性の高電圧が印加される。
【００４９】
ケース２１は、イオン発生素子１０、電源入力コネクタ２２、駆動回路２３、高電圧発生回路２４、正高電圧生成回路２５および負高電圧生成回路２６を内部に収容している。電源入力コネクタ２２は、外部の入力電源の供給を受けるため、ケース２１の外部に露出している。
【００５０】
このイオン発生装置２０の厚みＴ４は、５ｍｍ以上８ｍｍ以下である。
またケース２１は、イオン発生素子１０の貫通孔１ｂに対向する壁部に孔２１ａを有している。これにより、イオン発生素子１０で生じたイオンがこの孔２１ａを通じてイオン発生装置２０の外部へ放出される。
【００５１】
上記のようにイオン発生素子１０の一方の針状電極２が正イオンを、他方の針状電極２が負イオンを発生する場合、一方の針状電極２の先端では正コロナ放電を発生させることにより正イオンが発生され、他方の針状電極２の先端では負コロナ放電を発生させることにより負イオンが発生される。この場合、ケース２１に設けられた一方の孔２１ａは正イオン発生部となり、他方の孔２１ａは負イオン発生部となる。また印加する波形はここでは特に問わず、直流、正負にバイアスされた交流波形、正負にバイアスされたパルス波形などの高電圧のいずれであってもよい。
【００５２】
上述したように、本実施の形態においては図５に示すダイオード２５、２６の整流作用によって高電圧が整流されることで、正イオンを生じさせるための針状電極２には正高電圧が印加され、負イオンを生じさせるための針状電極２には負高電圧が印加される。また正イオンを生じさせるための針状電極２と負イオンを生じさせるための針状電極２とには互いに異なる電圧を印加する必要から、双方の針状電極２は互いに絶縁されている必要がある。
【００５３】
しかしながら、仮に正イオンを生じさせるための針状電極２と負イオンを生じさせるための針状電極２との間に壁が無い場合には、以下の問題が生じる。
【００５４】
上記のイオン発生装置を空気調和機に用いた場合、その空気調和機の冷暖房の動作時に結露が生じ、その結露による水分が支持基板３の表面に付着する。この水分によって、正イオンを生じさせるための針状電極２と負イオンを生じさせるための針状電極２とがあたかも電気的に導通したような状態になる。この状態においては、正イオンを生じさせるための針状電極２に、負イオンを生じさせるための針状電極２から負高電圧が印加される。また負イオンを生じさせるための針状電極２に、正イオンを生じさせるための針状電極２から正高電圧が印加される。この結果、正イオンを生じさせるための針状電極２と負イオンを生じさせるための針状電極２とのいずれにおいても、正高電圧と負高電圧との双方が印加されることになり、ダイオード２５、２６による整流の効果が得られない。このため、針状電極２で正イオンおよび負イオンのいずれか一方のみを選択的に生じさせることができなくなるという問題がある。
【００５５】
本実施の形態においては、正イオンを生じさせるための針状電極２と負イオンを生じさせるための針状電極２との間に絶縁物よりなる壁（円筒部材１１）が配置されている。また、この壁は支持基板３の表面に接して配置されている。このため、仮に結露が生じても、支持基板３の表面に付着した水分による電気的導通を絶縁性の壁によって遮断することができる。これにより、正イオンを生じさせるための針状電極２と負イオンを生じさせるための針状電極２との一方から他方へ反対極性の高電圧が印加されることを防止することができる。このため、針状電極２に正高電圧および負高電圧のいずれかを選択的に印加することが可能となり、正イオンおよび負イオンの一方のみを選択的に生じさせることができる。
【００５６】
また本実施の形態のイオン発生素子によれば、誘導電極１と針状電極２との間に絶縁物よりなる壁（円筒部材１１）が配置されている。また、この壁は支持基板３の表面に接して配置されている。このため、仮に結露が生じても、支持基板３の表面に付着した水分による電気的導通を絶縁性の壁によって遮断することができる。よって、誘導電極１と針状電極２との間で大きな電位差を確保することができ、イオン発生能力を高く維持することが可能となる。
【００５７】
なお本実施の形態においては、絶縁物よりなる壁の一例として円筒部材１１について説明したが、絶縁物よりなる壁の形状は円筒形状に限られるものではない。絶縁物よりなる壁は、正イオンを生じさせる針状電極２と負イオンを生じさせる針状電極２との間の電気的導通を遮断できるような形状であればよく、たとえば正イオンを生じさせる針状電極２と負イオンを生じさせる針状電極２との間を直線状に延びる形状であってもよい。また絶縁物よりなる壁は、針状電極２と誘導電極１との間の導通を遮断できる形状であればよく、たとえば断面が多角形の筒形状であってもよい。
【００５８】
次に、上記のイオン発生装置を用いた電気機器の一例として空気清浄機の構成について説明する。
【００５９】
図７は、図５および図６に示すイオン発生装置を用いた空気清浄機の構成を概略的に示す斜視図である。また図８は、図７に示す空気清浄機にイオン発生装置を配置した様子を示す空気清浄機の分解図である。
【００６０】
図７および８を参照して、空気清浄機３０は前面パネル３１と本体３２とを有している。本体３２の後方上部には吹き出し口３３が設けられており、この吹き出し口３３からイオンを含む清浄な空気が室内に供給される。本体３２の中心には空気取り入れ口３４が形成されている。空気清浄機３０の前面の空気取り入れ口３４から取り込まれた空気が、図示しないフィルターを通過することで清浄化される。清浄化された空気は、ファン用ケーシング３５を通じて、吹き出し口３３から外部へ供給される。
【００６１】
清浄化された空気の通過経路を形成するファン用ケーシング３５の一部に、図５および図６に示すイオン発生装置２０が取り付けられている。イオン発生装置２０は、そのイオン発生部となる孔２１ａからイオンを上記の空気流に放出できるように配置されている。イオン発生装置２０の配置の例として、空気の通過経路内であって、吹き出し口３３に比較的近い位置Ｐ１、比較的遠い位置Ｐ２などの位置が考えられる。このようにイオン発生装置２０のイオン発生部２１ａに送風を通過させることにより、吹き出し口３３から清浄な空気とともに外部にイオンを供給するイオン発生機能を空気清浄機３０に持たせることが可能になる。
【００６２】
本実施の形態の空気清浄機３０によれば、イオン発生装置２０で生じたイオンを送風部（空気の通過経路）により気流に乗せて送ることができるため、機外にイオンを放出することができる。
【００６３】
なお本実施の形態においては電気機器の一例として空気清浄機について説明したが、本発明はこれに限定されるものではなく、電気機器は、これ以外に空気調和機、冷蔵機器、掃除機、加湿器、除湿機、電気ファンヒータなどであってもよく、イオンを気流に乗せて送るための送風部を有する電気機器であればよい。
【００６４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００６５】
本発明は、コロナ放電により正イオンおよび負イオンを生じさせるためのイオン発生素子、それを用いたイオン発生装置および電気機器に特に有利に適用され得る。
【図面の簡単な説明】
【００６６】
【図１】本発明の一実施の形態におけるイオン発生素子の構成を概略的に示す分解斜視図である。
【図２】本発明の一実施の形態におけるイオン発生素子の構成を概略的に示す組立斜視図である。
【図３】図２のＩＩＩ−ＩＩＩ線に沿う概略断面図である。
【図４】図３のＰ部を拡大して示す拡大断面図である。
【図５】図１〜図４に示すイオン発生素子を用いたイオン発生装置の機能ブロックを示す図である。
【図６】図５に示すイオン発生装置の構成を概略的に示す斜視図である。
【図７】図５および図６に示すイオン発生装置を用いた空気清浄機の構成を概略的に示す斜視図である。
【図８】図７に示す空気清浄機にイオン発生装置を配置した様子を示す空気清浄機の分解図である。
【符号の説明】
【００６７】
１  誘導電極、１ａ  天板部、１ｂ  貫通孔、１ｃ  屈曲部、１ｄ  基板挿入部、１ｄ1  支持部分、１ｄ2  基板挿入部、１ｅ  基板支持部、２  放電電極、３  基板、３ａ，３ｂ  貫通孔、４  半田、１０  イオン発生素子、１１  絶縁性の円筒部材、２０  イオン発生装置、２１  ケース、２１ａ  イオン発生部（孔）、２２  電源入力コネクタ、２３  駆動回路、２４  高電圧発生回路、２５  正高電圧生成回路、２６  負高電圧生成回路、３０  空気清浄機、３１  前面パネル、３２  本体、３３  吹き出し口、３４  空気取り入れ口、３５  ファン用ケーシング。
【図１】
2009026492.tif 000003
【図２】
2009026492.tif 000004
【図３】
2009026492.tif 000005
【図４】
2009026492.tif 000006
【図５】
2009026492.tif 000007
【図６】
2009026492.tif 000008
【図７】
2009026492.tif 000009
【図８】
2009026492.tif 000010